(57)【要約】【課題】躯体コンクリートの改質を行うための作業が簡単で、狭いスペースや、作業が難しい状況でも、容易に実施できる改質方法を提供する。【解決手段】打設され未硬化状態の躯体コンクリート５の表面に、無機質セメント結晶生成作用を有する触媒性化合物を含浸させた不織布２からなるシート材１を接着する。不織布２に含まれていた触媒性化合物は、未硬化のコンクリートが発する水和反応熱により不織布２から溶け出し、躯体コンクリート５の内部へ浸透、拡散する。この触媒性化合物がセメント結晶の生成を恒久的に行うため、施工後のメンテナンスが不要になる。【選択図】図２
2010242300.tif 000002
【特許請求の範囲】
【請求項１】
躯体コンクリートの改質方法であって、
打設され未硬化状態のコンクリート表面に、無機質セメント結晶生成作用を有する触媒性化合物を含浸させた不織布からなるシート材を接触させ、前記触媒性化合物を直接に躯体コンクリートの内部へ供給することを特徴とする躯体コンクリートの改質方法。
【請求項２】
請求項１の躯体コンクリートの改質方法において、前記シート材が前記不織布のコンクリート表面と接触する側に、接着剤を含ませてなるものであることを特徴とする躯体コンクリートの改質方法。
【請求項３】
請求項１または２の躯体コンクリートの改質方法において、前記シート材が前記不織布のコンクリート表面と接触しない側に、少なくとも防水性を有する樹脂製シートを備えてなるものであることを特徴とする躯体コンクリートの改質方法。
【請求項４】
請求項１ないし３のいずれかの躯体コンクリートの改質方法により改質した躯体コンクリートからなることを特徴とするコンクリート構造物。
【発明の詳細な説明】
【技術分野】
【０００１】
本発明は、躯体コンクリートの外面からの改質によってコンクリートの耐久性、耐劣化性を簡便に向上させ得るコンクリート改質のための新しい方法と、この方法によるコンクリート構造物に関する。
【背景技術】
【０００２】
コンクリート構造物は、様々な要因により劣化する。すなわち、コンクリートには、新設されたものでも空隙が存在し、時間の経過とともに、ひび割れが生じる。このひび割れや空隙を通じてコンクリート内部に水や、塩化物などのさまざまな物質が浸透すると、ひび割れが進展し、漏水や塩害が発生する。
【０００３】
さらに、それら水や塩化物などのコンクリートにとって有害な物質が二次反応を誘発すると、コンクリート内部の鉄筋や鉄骨に錆を生じさせ、結果的にコンクリート構造物の寿命を短くしてしまう。
【０００４】
そこで従来、コンクリートの劣化を抑制する手段として、コンクリートの表面（表層）を、有機系樹脂で物理的に覆う工法が採用されている。この工法には、塗料などによって表面に薄い膜を形成する方法や、撥水剤やシリカ質の材料をコンクリート表面から浸透させる方法などがある。
【先行技術文献】
【特許文献】
【０００５】
【特許文献１】特開２００３−２３９３１５号公報
【発明の概要】
【発明が解決しようとする課題】
【０００６】
しかしながら、従来方法では、あくまでもコンクリート表面を覆っているだけなので、時間の経過や物理的な作用により樹脂などの被覆材が剥離してしまい、それを防ぐには、定期的かつ頻繁なメンテナンスが必要となり、高いランニングコストを要する。
【０００７】
また従来の方法でコンクリートが硬化した後に施工するものでは、施工のための足場を必要としたり、施工する際のコンクリート表面の水分状態などによりコンクリートの耐久性能が大きくばらつくことがあるなどの問題点があった。
【０００８】
さらに、粉体塗料などを塗布して膜を形成する方法もあるが、雨などでせっかく塗布した塗料などが流れ落ちてしまうことが多く、改良が望まれていた。
【０００９】
本発明は、上述した諸問題点にかんがみ、工期の延長や、足場の設置、コンクリート表面の水分量の調整などの特別な処置を必要とせず、簡単にかつ通常の施工工事の範囲内で、躯体コンクリートの改質を図れるようにすることを目的とする。
【課題を解決するための手段】
【００１０】
本発明の躯体コンクリートの改質方法のうち請求項１に係るものは、躯体コンクリートの改質方法であって、打設され未硬化状態のコンクリート表面に、無機質セメント結晶生成作用を有する触媒性化合物を含浸させた不織布からなるシート材を接触させ、前記触媒性化合物を直接に躯体コンクリートの内部へ供給することを特徴とする。
【００１１】
また請求項２に係るものは、請求項１の躯体コンクリートの改質方法において、前記シート材が前記不織布の外側に樹脂製シートを備えることを特徴とする。
【００１２】
請求項３に係るコンクリート構造物は、請求項１または２の躯体コンクリートの改質方法により改質した躯体コンクリートからなることを特徴とする。
【発明の効果】
【００１３】
本発明によれば、打設され未硬化状態のコンクリート表面に、無機質セメント結晶生成作用を有する触媒性化合物を含浸させた不織布からなるシート材を接触させ、前記触媒性化合物を直接に躯体コンクリートの内部へ供給することにより、容易に躯体コンクリートの改質に係る工事を施工できるようになる。
【図面の簡単な説明】
【００１４】
【図１】本発明の実施に用いるシートの構成例を示した断面図である。
【図２】本発明による施工過程例を示す断面図である。
【発明を実施するための形態】
【００１５】
以下本発明を実施するための形態を、図に示す実施例を参照して説明する。なお本発明は図示の例のように垂直あるいは水平な躯体コンクリート面への実施には限定されず、種々の形態の面への適用が可能であり、図示の例の形態には限定されない。
【実施例】
【００１６】
図１は、本発明を実施するために使用するシートの一例の断面図である。図示のシート材１は、無機質セメント結晶生成作用を有する触媒性化合物を含浸させた不織布２のコンクリート表面と接触する側に接着剤を含ませるととものに、コンクリート表面と接触しない側に防水性を有する樹脂製シート３を貼付して備えている。
【００１７】
不織布２に含浸させる触媒性化合物としては、液体による高浸透性のコンクリート改質剤を主成分とした無機質の材料、例えば、本願出願人が製造、販売しているリバコン（商品名）を採用できる。この化合物は、ケイ酸質系等のコンクリート改質剤の浸透深さが表層部のみと言われているのに対し、よりコンクリート深部まで短期間に浸透拡散し、セメント結晶を生成するためコンクリートの改質効果が大幅に向上する。具体的には、この触媒性化合物をコンクリート躯体表面に塗布すると、主成分の触媒性化合物がコンクリート躯体内部に浸透し、水酸化カルシウムをつかみ、触媒性カルシウム化合物となり、さらにセメントゲル位置まで運び、結晶化を促す。そして、不溶性のＣ−Ｓ−Ｈ結晶を成長させ、分離した触媒性化合物は新たな水酸化カルシウムをつかみ、次のセメントゲルへ移動する。これらの化学反応により、コンクリートが緻密化され、コンクリートの空隙が減少し、ひび割れも自己修復される。その結果、コンクリート内部への水や有害物質の進入が遮断され、コンクリートの劣化が抑止される。本願発明者等の実験によれば、０．２ｍｍ幅程度までのひび割れであれば、自己修復機能により修復し、防水・止水効果を発揮した。
【００１８】
図２は、図１に示したシート材１を用いた本発明による施工過程例を示す断面図である。図示しないコンクリート型枠を用いて躯体コンクリート５を打設し、その躯体コンクリート５が固化する前に、すなわちコンクリートが「ゆるい」状態のうちに、その外面に上述のシート材１を不織布２に含ませた接着剤を貼付する。すると接着剤が熱融着等によって溶け、接着性が高まる。
【００１９】
その後、打設された躯体コンクリート５が固化する際の水和反応熱と、水和反応に使用されずに外部へ出てくる水分とが、シート材１の接着剤を溶かして不織布を躯体コンクリート５の表面に密着させる。すると、不織布２に含浸させた触媒性化合物に熱と水分が作用し、躯体コンクリート５側へ触媒性化合物が浸透、拡散していく。これによって、コンクリートが改質され、その耐久性、耐劣化性能を高めることになる。
【００２０】
また上述のような作用が進む間、すなわち養生期間中に降雨などがあっても、シート材１表面の樹脂製シート３が遮水し、触媒性化合物が浸透、拡散に影響が及ばない。
【００２１】
なお、不織布２に含浸させる触媒性化合物は、本願出願人が製造、販売しているリバコン（商品名）であれば、水溶液であるため、下地処理は躯体表面の粉塵を除去する程度でよく、散水養生も不要であり、作業コストの軽減が図れる。また、全体工程の短縮が図れる。さらに、養生完了後はシート材１を剥がすだけで良く、施工後のコンクリート表面には残渣等がなく、仕上げ材を自由に選択できるようになる。
【００２２】
そして最も重要なことは、躯体コンクリート５内に浸透、拡散した触媒性化合物がセメント結晶の生成を恒久的に行うため、施工後のメンテナンスが不要になる。
【００２３】
もちろん、構造物の種類、施工条件に適合した形態を選択して、合理的な施工を行うことができる。例えば、躯体コンクリート５の表面に隣接する建造物等との間にほとんど隙間が無くても、シート材１を躯体コンクリート５の表面に貼り付けることさえできればよいので、狭いスペースや、作業が難しい状況でも、容易に実施できる。このような場合、シート材１を用済み後に剥がしたり、仕上げもできないことが多いが、上述のように躯体コンクリート５施工後のメンテナンスが不要なため、問題はない。
【００２４】
またなお、上述のようなシート材１を用いることにより材料費は高くなるが、本願発明者の試算したところでは、従来の触媒性化合物の吹き付け、打設前のコンクリートへの練り込み等による施工に比べ、労賃を大幅に低減させることができるので、全体としての施工費は半分近くに低減させ得るケースもあった。
【符号の説明】
【００２５】
１：シート材
２：不織布
３：樹脂製シート
５：躯体コンクリート
【図１】
2010242300.tif 000003
【図２】
2010242300.tif 000004